(57)【要約】【課題】耐衝撃性に優れた電気泳動表示装置を提供する。【解決手段】本発明の電気泳動表示装置１は、素子基板２上に電気泳動層３１を有する電気泳動表示パネル１０と、電気泳動表示パネル１０を挟持する表面保護基板１２及び支持板１３と、表面保護基板１２及び支持板１３間に設けられ電気泳動表示パネル１０の周囲を囲う外枠１４と、を備え、電気泳動表示パネル１０と表面保護基板１２とが応力緩和層４１を介して接着されている。【選択図】図２
2010204555.tif 000002
【特許請求の範囲】
【請求項１】
素子基板上に電気泳動層を有する電気泳動表示パネルと、
前記電気泳動表示パネルを挟持する表面保護基板及び支持板と、
前記表面保護基板及び前記支持板間に設けられ前記電気泳動表示パネルの周囲を囲う外枠と、を備え、
前記電気泳動表示パネルと前記表面保護基板とが応力緩和層を介して接着されている
ことを特徴とする電気泳動表示装置。
【請求項２】
前記応力緩和層がシリコンゲルからなる
ことを特徴とする請求項１記載の電気泳動表示装置。
【請求項３】
前記電気泳動表示パネルと前記外枠との間に緩衝材が設けられている
ことを特徴とする請求項１または２記載の電気泳動表示装置。
【請求項４】
前記電気泳動表示パネルと前記支持板とが応力緩和層を介して接着されている
ことを特徴とする請求項１ないし３のいずれか一項に記載の電気泳動表示装置。
【請求項５】
前記応力緩和層の複素弾性率が１×１０５Ｐａ以下である
ことを特徴とする請求項１ないし４のいずれか一項に記載の電気泳動表示装置。
【請求項６】
前記表面保護基板及び前記支持板の熱膨張係数が略等しい
ことを特徴とする請求項１ないし５のいずれか一項に記載の電気泳動表示装置。
【請求項７】
前記表面保護基板及び前記支持板が、強化ガラスあるいはアクリルのいずれかから構成されている
ことを特徴とする請求項１ないし６のいずれか一項に記載の電気泳動表示装置。
【請求項８】
請求項１から７のいずれかに記載の電気泳動表示装置を備えたことを特徴とする電子機器。
【発明の詳細な説明】
【技術分野】
【０００１】
本発明は、表示体実装分野において、外部からの衝撃に強く、且つ自落下衝撃に強い電気泳動表示装置および電子機器に関するものである。
【背景技術】
【０００２】
液晶表示デバイスに代表される平面表示装置は、薄型、軽量、低消費電力などの特徴を生かしてＯＡ機器、情報端末、時計、テレビ等の各分野に利用されている。現在、携帯電話をはじめとするこれらの液晶表示デバイスには、より薄く、より軽く、且つ丈夫であることが要求されている。
【０００３】
一方、カラー表示や動画表示という点において液晶表示デバイスには劣るものの、薄さ、軽さ及び低消費電力を実現し得る表示体として、電気泳動ディスプレイ（Electrophoretic Display：ＥＰＤ）が注目されている。この電気泳動ディスプレイ（以下、ＥＰＤという）は、紙に近い性質を有しており、読むことを目的とした「電子ペーパー」として開発が進められている。
【０００４】
代表的な電子ペーパーであるマイクロカプセル型ＥＰＤは、帯電粒子が分散した溶媒をマイクロカプセルに封入し、マイクロカプセルの上下に形成した電極に電圧印加して電界を発生させることにより帯電粒子の分布を変化させてコントラストを得る表示体である。電圧印加を止めても静電気力や分子間力によって引き付けられた帯電粒子が電極付近に留まることから、電力を消費せずに表示画像を保持し続けられるという特徴を有する。
【０００５】
さらに、液晶ディスプレイのような透過光や有機ＥＬディスプレイのような発光ではなく、帯電粒子や溶媒そのものの色（反射光）を観察するため、視野角依存がなく紙のように目に優しく、長時間の凝視にも耐えられるといった利点もある。
【０００６】
このような電気泳動表示装置では、素子基板の表示領域に貼り合わされた電気泳動シートを防湿シートと封止材とで封止することにより防湿構造を有した電気泳動表示パネルを備えたものが知られている（例えば、特許文献１参照）。実際の応用機器にする場合には、電気泳動表示パネルの表示面側に表面保護基板を貼り合わせたものを筐体（保護部材）内に保持させるインレット構造が知られている。
【０００７】
この保護部材は、支持板及び外枠によって構成されており、電気泳動表示パネルの側部が外枠によって囲まれ、素子基板側の表面が支持板によって支持された構成になっていた。外枠と電気泳動表示パネルの側部との間には空間が設けられており、この空間内には緩衝材が設けられていた。
【０００８】
例えば、電気泳動表示装置の側部に衝撃を受けたときには、電気泳動表示パネルが保護部材内の空間内を移動する。このため、電気泳動表示パネルが外枠に接するように配置されている構成に比べて、電気泳動表示パネルに加わる衝撃が緩和されるようになっていた。また、電気泳動表示パネルと外枠との間に緩衝材を配置することにより、移動した電気泳動表示パネルが直接外枠に衝突しないようになっていた。このような構成を採用することにより、電気泳動表示パネルの耐衝撃性を高めることができるようになっていた。
【先行技術文献】
【特許文献】
【０００９】
【特許文献１】特開２００７−７２１２７号公報
【発明の概要】
【発明が解決しようとする課題】
【００１０】
ところが、電気泳動表示パネル及び表面保護基板は一体化されて保護部材に固定されているので、側部に衝撃を受けたときには、素子基板が保護部材を含めた他の部材に対して滑り下に動こうとする。そのため、表面保護基板を保護部材に接着している接着剤の剥がれ、電気泳動表示パネルを表面保護基板に接着している光学接着材の剥がれ、表面保護基板の割れ、電気泳動層の破壊、電気泳動層の素子基板からの剥離、素子基板の破壊等が発生してしまうという問題があった。
【００１１】
本発明は、上記従来技術の問題点に鑑み成されたものであって、耐衝撃性に優れた電気泳動表示装置を提供することを目的としている。
【課題を解決するための手段】
【００１２】
本発明の電気泳動表示装置は、上記課題を解決するために、素子基板の表示領域に電気泳動層を有する電気泳動シートを貼り合わせた電気泳動表示パネルと、前記電気泳動表示パネルを挟持する表面保護基板及び支持板と、前記表面保護基板及び前記支持板間に設けられ前記電気泳動表示パネルの周囲を囲う外枠と、を備え、前記電気泳動表示パネルと前記表面保護基板とが応力緩和層を介して接着されている。
【００１３】
本発明によれば、電気泳動表示パネルと表面保護基板とが応力緩和層を介して接着されているので、電気泳動表示パネル１０に衝撃が加えられた場合に、電気泳動表示パネル１０の層間に発生する応力を弱めることができる。これにより、電気泳動表示パネル１０に断裂が生じるのを防止することができ、耐衝撃性に優れた電気泳動表示装置１を得ることができる。
【００１４】
また、応力緩和層がシリコンゲルからなることが好ましい。
本発明によれば、従来用いられていた好学接着材よりもシリコンゲルの方がはるかに衝撃吸収性が高いので、電気泳動表示装置の耐久性が高められる。
【００１５】
また、電気泳動表示パネルと外枠との間の緩衝材が設けられていることが好ましい。
本発明によれば、緩衝材によって電気泳動表示パネルと外枠とが直接接触することを避けることができるので、電気泳動表示パネルの破壊を防止できる。
【００１６】
また、電気泳動表示パネルと支持板とが応力緩和層を介して接着されていることが好ましい。
本発明によれば、電気泳動表示パネルの表裏に応力緩和層が配置されることとなり、電気泳動表示パネルの耐衝撃性をより高めることができる。
【００１７】
また、応力緩和層の複素弾性率が１×１０５Ｐａ以下であることが好ましい。
本発明によれば、電気泳動表示パネルにかかる応力を効率よく緩和することができる。
【００１８】
また、表面保護基板及び支持板の熱膨張係数が略等しいことが好ましい。
本発明によれば、表面保護基板と支持板との熱膨張差が吸収されてパネルの反り変形が生じにくくなる。
【００１９】
また、表面保護基板及び支持板が、強化ガラス材あるいはアクリル材のいずれかから構成されていることが好ましい。
本発明によれば、強化ガラスからなる表面保護基板および支持板を設けることで耐湿性が向上するとともにパネルの変形が生じにくくなる。また、アクリルからなる表面保護基板および支持板を設けることで、電気泳動表示装置の軽量化が図れるとともに部材に係るコストを削減することができる。
【００２０】
本発明の電子機器は、先に記載の電気泳動表示装置を備えたことを特徴とする。
本発明によれば、耐衝撃性に優れた電気泳動表示装置を備えているので、信頼性の高い電子機器が得られる。
【図面の簡単な説明】
【００２１】
【図１】第１の実施形態に係る電気泳動表示装置の概略構成を示す平面図。
【図２】図１におけるＡ−Ａ断面に沿った構成を示す図。
【図３】第２の実施形態の電気泳動表示装置の概略構成を示す断面図。
【図４】第３の実施形態の電気泳動表示装置の概略構成を示す断面図。
【図５】電子機器の一例を示す図。
【図６】電子機器の一例を示す図。
【図７】電子機器の一例を示す図。
【発明を実施するための形態】
【００２２】
以下、本発明の実施形態につき、図面を参照して説明する。なお、以下の説明に用いる各図面では、各部材を認識可能な大きさとするため、各部材の縮尺を適宜変更している。
【００２３】
（第１の実施形態）
図１は本実施形態に係る電気泳動表示装置１の概略構成を示す平面図である。図２は図１におけるＡ−Ａ断面に沿った構成を示す図である。
図１及び図２に示すように、電気泳動表示装置１は、電気泳動表示パネル１０及び保護部材１１を備えており、電気泳動表示パネル１０の表面全体が保護部材１１によって囲われた構成になっている。
【００２４】
電気泳動表示パネル１０は、素子基板２の表面に電気泳動シート３が貼り付けられた構成になっている。
電気泳動表示パネル１０には静止画や動画等の画像を表示する表示領域５が設けられている。表示領域５内にはマトリクス状に配列された複数の画素が設けられており、画素ごとに表示が行われるようになっている。表示領域５の周囲の領域は、画像が表示されない非表示領域６となっている。この非表示領域６には画素が設けられておらず、駆動回路素子２２及び２３、端子２４などが設けられている。
【００２５】
素子基板２は、基板２０と、当該基板２０上に形成された画素電極２５及びスイッチング素子２６などを含む駆動層２１を有している。基板２０は平面視で矩形状に設けられている。基板２０を構成する材料として、例えばガラス基板、石英基板、シリコン基板、ガリウム砒素基板などの無機基板や、ポリイミド、ポリエチレンテレフタレート（ＰＥＴ）、ポリエチレンナフタレート（ＰＥＮ）、ポリメチルメタクリレート（ＰＭＭＡ）、ポリカーボネート（ＰＣ）、ポリエーテルスルホン（ＰＥＳ）、芳香族ポリエステル（液晶ポリマー）等で構成されるプラスチック基板（樹脂基板）などを用いることができる。
【００２６】
基板２０のうち表示領域５に対応する領域には駆動層２１が形成されている。この駆動層２１には各画素に設けられる画素電極２５やスイッチング素子２６、スイッチング素子２６に接続される不図示のデータ線及び走査線などが形成されている。平面的な駆動層２１の形成領域は、表示領域５と略一致しており、駆動回路素子２２及び２３はこの駆動層２１の周縁部（非表示領域６）に設けられている。これら駆動回路素子２２及び２３はデータ線や走査線に電気的に接続されており、駆動層２１に信号を供給するようになっている。端子２４は素子基板２の端部（図中では右端）に複数設けられており、素子基板２上に形成されている図示しない配線によって駆動回路素子２２及び２３に接続されている。この端子２４は、不図示の外部回路基板に接続されている。基板２０は保護部材１１に対して固定されないように接した状態になっている。
【００２７】
電気泳動シート３は、透明基板３０、共通電極３５、電気泳動層３１及び接着層３３を有している。
透明基板３０は電気泳動層３１を保持する基板であり、例えばポリエチレンテレフタレート（ＰＥＴ）、ポリエーテルスルホン（ＰＥＳ）、ポリカーボネイト（ＰＣ）など光透過性の高い材料からなる矩形の基板である。透明基板３０の表面３０ａ側は電気泳動表示装置１の表示面側となっている。
【００２８】
共通電極３５は透明基板３０の内面３０ｂにはほぼ全面に形成されている。この共通電極３５は例えばＩＴＯなどの光透過性の高い導電材料で構成されており、上下導通材９によって素子基板２に接続されている。
【００２９】
電気泳動層３１は複数のマイクロカプセル３２を有している。
マイクロカプセル３２は電気泳動分散液が封入された略球状のカプセルであり、各カプセルの直径はほぼ同一（５０μｍ〜１００μｍ）になっている。マイクロカプセル３２のカプセル壁膜を形成する材料としては、アラビアガム・ゼラチンの複合膜、ウレタン樹脂、ウレア樹脂、尿素樹脂などの化合物が挙げられる。マイクロカプセル３２に封入された電気泳動分散液は、複数の電気泳動粒子と、当該電気泳動粒子を分散させるための液層分散媒とからなる。
【００３０】
液層分散媒としては、水やアルコール系溶媒、各種エステル類、ケトン類、脂肪族炭化水素、脂環式炭化水素、芳香族炭化水素、ハロゲン化炭化水素、カルボン酸塩又はその他の種々の油類等の単独、またはこれらの混合物に界面活性剤等を配合したものを用いることができる。
【００３１】
電気泳動粒子としては、液相分散媒中で電位差による電気泳動により移動する性質を有する有機あるいは無機の粒子（高分子あるいはコロイド）を用いることができる。具体的には、カーボンブラック、アニリンブラック等の黒色顔料、二酸化チタン等の白色顔料、モノアゾのアゾ系顔料、イソインドリノン等の黄色顔料、モノアゾのアゾ系顔料、キナクリドンレッド等の赤色顔料、フタロシアニンブルー等の青色顔料、フタロシアニングリーン等の緑色顔料等の１種又は２種以上を用いることができる。これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００３２】
マイクロカプセル３２には、例えば白色顔料である二酸化チタンと黒色顔料であるカーボンブラックとの二種類の電気泳動粒子が封入されており、一方が負に、他方が正に帯電されている。勿論他の電気泳動粒子を用いても構わないし、電気泳動粒子を一種類のみ用い、これを共通電極側、あるいは画素電極側に泳動させることで表示可能となるように構成しても構わない。
【００３３】
接着層３３は、バインダを兼ねた熱硬化タイプの接着剤である。接着層３３としては、マイクロカプセル３２のカプセル壁膜に対する親和性が良好で、共通電極および画素電極に対する接着性に優れ、かつ絶縁性の良い接着剤であることが好ましい。また、熱硬化タイプではあるが、硬化後も弾性がある接着剤が好ましい。
【００３４】
透明基板３０上には、防湿シート４０が設けられている。防湿シート４０は平面視で透明基板３０とほぼ同一の寸法に設けられており、例えば０．１ｍｍ程度の厚さを有する光透過可能なフィルムである。防湿シート４０として、例えばポリエチレンテレフタレートやポリエチレンナフタレートなどの光透過可能なフィルムの表面に無機バリア層を形成したものなどを用いることができる。この防湿シート４０は、例えば両面テープや光硬化性接着剤などの光透過性の高い接着層（不図示）により電気泳動シート３に貼り付けられている。
【００３５】
防湿シート４０と素子基板２との間には封止材７が設けられている。封止材７は、平面視で電気泳動シート３及び透明基板３０の周囲を囲うように設けられている。封止材７を構成する材料としては、例えばエポキシ系、アクリル系、シリコン系の樹脂などが挙げられる。
このように、素子基板２、電気泳動シート３、防湿シート４０及び封止材７が一体的とされて電気泳動表示パネル１０が構成されている。そして、電気泳動表示パネル１０は、応力緩和層４１を介して保護部材１１内に固定されている。
【００３６】
応力緩和層４１は、平面視で透明基板３０及び防湿シート４０とほぼ同一の寸法に設けられており、例えばシリコンゲルによって構成された光透過性の高い接着層である。応力緩和層４１の複素弾性率は１×１０５Ｐａ以下であり、その厚みは約０．５ｍｍとされている。
【００３７】
一方、保護部材１１は、表面保護基板１２、支持板１３、及び外枠１４を備えている。
表面保護基板１２は、電気泳動表示パネル１０のうち、電気泳動シート３側に配置されており、その内面に応力緩和層４１が接するように設けられている。この表面保護基板１２は、例えば強化ガラスあるいは強化アクリルによって所定の厚さを有するように構成された基材である。
【００３８】
支持板１３は、電気泳動表示パネル１０のうち素子基板２側に設けられており、平面視で表面保護基板１２に重なる位置に設けられている。この支持板１３は、例えば、表面保護基板１２同様、強化ガラス、強化アクリルによって所定の厚さを有するように構成された基材である。
【００３９】
電気泳動表示パネル１０は、防湿シート４０の表面上に設けられた応力緩和層４１によって表面保護基板１２に固定されている一方、素子基板２の裏面２ｂは支持板１３に固定されずに接した状態で保護部材１１内に保持されている。
【００４０】
外枠１４は、電気泳動表示パネル１０の側面を囲うように設けられており、周縁部において表面保護基板１２と支持板１３とで挟持されている。この外枠１４は例えばアクリル系樹脂やＰＥＴなどの有機材料によって構成されており、表面保護基板１２及び支持板１３の周縁部にそれぞれ密着していると共にこれら周縁部をそれぞれ固定した状態になっている。この固定状態については、例えば外枠１４と表面保護基板１２及び支持板１３との間をレーザー溶着によって固定させても良いし、不図示の接着剤などによって固定させても構わない。接着剤を用いる場合には、防湿性の高い材料を含んだ接着剤を用いることで防湿性を高めるようにするのが好ましい。
【００４１】
本実施形態では、電気泳動表示パネル１０と外枠１４との間には平面視及び断面視で空間が設けられている。本実施形態では、この空間が空気層（エアギャップ）となっていることにより、電気泳動表示装置１の耐衝撃性をさらに向上させることとなっている。
【００４２】
電気泳動層３１は、素子基板２と透明基板３０とで挟持されているとともに、表面保護基板１２、支持板１３及び外枠１４よって封止されている。電気泳動層３１は水分を嫌うため、このように当該層を覆う構成を採用することにより、電気泳動層３１への水分の浸入を確実に防止している。また、電気泳動表示パネル１０は表面保護基板１２及び支持板１３上に接した構成になっており、電気泳動表示パネル１０の耐衝撃性を高めた構成になっている。
【００４３】
次に、上記のように構成された電気泳動表示装置１の動作を簡単に説明する。
画素電極２５と共通電極３５との間に共通電極３５の電圧が相対的に高くなるように電圧を印加すると、正に帯電された黒色の電気泳動粒子はクーロン力によってマイクロカプセル３２内のうち画素電極２５側に引き寄せられる。一方、負に帯電された白色の電気泳動粒子はクーロン力によってマイクロカプセル３２内の共通電極３５側に引き寄せられる。この結果、マイクロカプセル３２内の透明基板３０側には白色の電気泳動粒子が集まることになり、電気泳動表示装置１の表示領域５にはこの白色の電気泳動粒子の色（白色）が表示されることとなる。
【００４４】
逆に、画素電極２５と共通電極３５との間に画素電極２５の電位が相対的に高くなるように電圧を印加すると、負に帯電された白色の電気泳動粒子はクーロン力によって画素電極２５側に引き寄せられる。一方、正に帯電された黒色の電気泳動粒子はクーロン力によって共通電極３５側に引き寄せられる。この結果、マイクロカプセル３２内の透明基板３０側には黒色の電気泳動粒子が集まることになり、電気泳動表示装置１の表示領域５には黒色の電気泳動粒子の色（黒色）が表示されることとなる。
【００４５】
本実施形態では、表面保護基板１２と電気泳動表示パネル１０との間に、光学接着材ではなくシリコンゲルからなる応力緩和層４１が配置されている。シリコンゲルは、光学接着材よりもはるかに衝撃吸収性が高いので、電気泳動表示パネル１０に衝撃が加えられた場合に、電気泳動表示パネル１０の層間に発生する応力を弱めることができる。これにより、電気泳動表示パネル１０に断裂が生じるのを防止することができ、耐衝撃性に優れた電気泳動表示装置１を得ることができる。
【００４６】
従来の構成において、電気泳動表示パネル１０は、その表示面側が光学接着材を介して表面保護基板１２へ強固に固定されている一方、素子基板２側は支持板１３へは固定されておらず接触した状態とされていた。このため、例えば衝撃によって電気泳動表示パネル１０が側部側へと移動する際には、主に電気泳動表示パネル１０の周囲に配置された緩衝材が落下衝撃の吸収を担っていた。しかしながら、落下時の衝撃によって電気泳動表示パネル１０が側部側へと移動する場合に、電気泳動表示パネル１０の層間にせん断応力が発生し、このせん断応力によって電気泳動表示パネル１０が断裂するなどの不具合が生じてしまうという問題があった。
【００４７】
これに対して本実施形態では、電気泳動表示パネル１０と表面保護基板１２との間に応力緩和層４１を配置している。この応力緩和層４１は弾性を有するシリコンゲルから構成されていることから、電気泳動表示パネル１０の周囲に配置した緩衝材よりも均一に且つ効率よく電気泳動表示パネル１０の落下衝撃を吸収することができる。これにより、表面保護基板１２と素子基板２との間に介在する全ての部材に対してせん断応力が及ぶのを防ぐことができる。したがって、電気泳動表示パネル１０に断裂が生じるのを防止することができ、耐衝撃性の高い電気泳動表示装置１を得ることができる。
【００４８】
また、上記した応力緩和層４１は、厚さが０．５ｍｍ、複素弾性率が１×１０５Ｐａ以下のシリコンゲルから構成されている。ここで、複素弾性率は、バネ成分（貯蔵弾性率）と粘性成分（損失弾性率）の二条和の平方根によって得られる。
【００４９】
従来、電気泳動表示パネル１０上に表面保護基板１２を貼り合わせるための接着材として用いられていた光学接着材（アクリル系のエラストマー）は複素弾性率が１×１０５Ｐａより大きいので、シリコンゲルと同等の衝撃吸収性を確保するためには層の厚みを増加させなければならない。しかしながら、層の厚みが増すと表示が奥まって見えるので見栄えが悪くなったり、光透過率の低下や色味の変化が生じるなどして視認性の低下が問題となってしまう。また、電気泳動表示装置をタッチパネルに適用した場合には、手書き入力ペンを利用するときにペン先と表示層とが離れてしまうので、ユーザーが不快感を感じるなどの不具合が生じてしまう。
【００５０】
これに対してシリコンゲルは、厚さを増加させずに所望の弾性（応力緩和性）を得ることができるので、上記不具合の発生を防止しつつ電気泳動表示装置の耐衝撃性を高めることが可能となる。なお、複素弾性率を小さくすることで応力緩和層４１の厚みをさらに薄くすることが可能となる。
【００５１】
また、本実施形態では、電気泳動表示パネル１０と保護部材１１との間に空間Ｋ（ギャップ）を設けることで、落下衝撃によって電気泳動表示パネル１０が側方へ移動したときに、外枠１４と電気泳動表示パネル１０とが直接衝突することを防止している。これにより、電気泳動表示パネル１０が外枠１４に接するように配置されている構成に比べて、電気泳動表示パネル１０に加わる衝撃が緩和されるようになっている。
【００５２】
（第２の実施形態）
次に、本発明の第２の実施形態について図３を用いて説明する。図３は、第２の実施形態の電気泳動表示装置５０の全体構成を示す平面図である。
以下に示す本実施形態の電気泳動表示装置５０では、電気泳動表示パネル１０と保護部材１１との間に緩衝材１５が配置されている。
具体的にこの緩衝材１５は、電気泳動表示パネル１０の側部と外枠１４との間に設けられており、外枠１４の内面に接するように配置されている。緩衝材１５を構成する材料としては、例えば、アクリル系、シリコン系の樹脂などが挙げられる。このような緩衝材１５によって電気泳動表示パネル１０の周辺部に加わる衝撃を緩和することができるようになっている。
【００５３】
本実施形態によれば、電気泳動表示パネル１０の周囲に緩衝材１５が設けられていることとしたので、電気泳動表示パネル１０が側部側へ移動した場合において、電気泳動表示パネル１０に加わる衝撃を緩和することができる。また、緩衝材１５が電気泳動表示パネル１０と外枠１４との間に隙間なく配置されることとしたので、電気泳動表示パネル１０の面方向への移動が規制されることとなる。これにより、電気泳動表示装置５０の耐衝撃性をより高めることができる。
【００５４】
（第３の実施形態）
次に、本発明の第３の実施形態について図４を用いて説明する。図４は、第３の実施形態の電気泳動表示装置６０の全体構成を示す平面図である。
先の実施形態では、電気泳動表示パネル１０の素子基板２側は保護部材１１に固定されておらず、ただ支持板１３の内面に接した状態で保護部材１１内に保持されていた。
これに対して本実施形態の電気泳動表示装置６０は、電気泳動表示パネル１０の表裏が保護部材１１に完全に固定されている。具体的には、電気泳動表示パネル１０の防湿シート４０と表面保護基板１２との間に配置された応力緩和層４１と同様の構成をなす応力緩和層４２が素子基板２と支持板１３との間に配置されており、この応力緩和層４２によって電気泳動表示パネル１０の裏面側も保護部材１１へ固定された状態となっている。
【００５５】
また、本実施形態では第１の実施形態と同様に平面視及び断面視において、電気泳動表示パネル１０と外枠１４との間に空間Ｋ（ギャップ）が設けられており、この空間Ｋによって形成される空気層により、電気泳動表示装置６０の耐衝撃性を高める構成とされている。
【００５６】
本実施形態によれば、電気泳動表示パネル１０の表裏が応力緩和層４１，４２を介して保護部材１１内に固定されることとしたので、落下時の衝撃で表面保護基板１２と支持板１３との間で生じるせん断応力を各応力緩和層４１，４２により分散して吸収することが可能となり、電気泳動表示装置６０の耐衝撃性をより高めることができる。
【００５７】
また、これら応力緩和層４１，４２を介して電気泳動表示パネル１０の表裏面側が表面保護基板１２及び支持板１３にそれぞれ接着されていることから、保護部材１１内における電気泳動表示パネル１０のズレを防ぐことができる。これにより、電気泳動表示パネル１０をより確実に保護することができる。
【００５８】
以上、添付図面を参照しながら本発明に係る好適な実施形態について説明したが、本発明は係る例に限定されないことは言うまでもなく、上記各実施形態を組み合わせても良い。当業者であれば、特許請求の範囲に記載された技術的思想の範疇内において、各種の変更例または修正例に想到し得ることは明らかであり、それらについても当然に本発明の技術的範囲に属するものと了解される。
【００５９】
例えば、第１および第２の実施形態では電気泳動表示パネル１０と外枠１４との間に空間Ｋが設けられた構成としたが、これらの間に緩衝材１５を配置してもよい。
【００６０】
（電子機器）
次に、上記実施形態の電気泳動表示装置１，５０，６０を、電子機器に適用した場合について説明する。
図５は、ＰＤＡ１００（電子機器）の構成を示す斜視図である。
ＰＤＡ１００は本体１３０に表示部１２０を備えている。表示部１２０は上記実施形態の電気泳動表示装置１，５０，６０のいずれかからなり、本体１３０内部に収容された制御・演算部に接続され、種々の操作画像やその他の情報を表示するように構成されている。また、本体１３０の外周には、超音波センサーユニット（不図示）を備えた入力装置１１０が設置されている。入力装置１１０は、例えば人の手、指、入力用のペン等の位置、形状、速度を超音波センサーユニットにより検出して、それらに対応する信号を出力してＰＤＡ１００へ入力する。
【００６１】
図６は電子ペーパー１１００の構成を示す斜視図である。電子ペーパー１１００は、上記実施形態の電気泳動表示装置１，５０，６０のいずれかを表示領域１１０１に備えている。電子ペーパー１１００は可撓性を有し、従来の紙と同様の質感及び柔軟性を有する書き換え可能なシートからなる本体１１０２を備えて構成されている。
【００６２】
図７は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【００６３】
以上の腕時計１０００、電子ペーパー１１００、及び電子ノート１２００によれば、本発明に係る電気泳動表示装置１，５０，６０のいずれかが採用されているので、長期間にわたって表示品質を維持することができる信頼性に優れた表示部を備えた電子機器となる。
【００６４】
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気泳動表示装置１を好適に用いることができる。
【符号の説明】
【００６５】
１…電気泳動表示装置、２…素子基板、３…電気泳動シート、５…表示領域、１０…電気泳動表示パネル、１２…表面保護基板、１３…支持板、１４…外枠、１５…緩衝材、３１…電気泳動層、４１,４２…応力緩和層、１００…ＰＤＡ（電子機器）、１１００…電子ペーパー（電子機器）、１２００…電子ノート（電子機器）
【図１】
2010204555.tif 000003
【図２】
2010204555.tif 000004
【図３】
2010204555.tif 000005
【図４】
2010204555.tif 000006
【図５】
2010204555.tif 000007
【図６】
2010204555.tif 000008
【図７】
2010204555.tif 000009